(57)【要約】      （修正有）【課題】水と油分の比重の差を利用した油分の感知によってスイッチをオンに作動させ、警報或は/及び電動バルブを閉じるようにして河川等への油分の流出を予防、防止する。【解決手段】少なくとも油分に浮くフロートに、水に浮いて油分に対しては沈下する調整浮子を上下動自在に設けて、油分流出による調整浮子の沈下によりスイッチを作動自在とした油分感知装置であり、該油分感知装置のスイッチと警報機を電気的に接続し、油分の感知により警報機を作動自在とした油分流出警報装置として、不用意な油分の流出を感知し、その流出を予防、防止する。防油堤の末端位置の排出口に設けたり、排水溝の中間に流れに逆らった邪魔板を設けて淀みを形成し、該邪魔板の下部を水が流れるようにし、その邪魔板の前の淀みに設けたりする。【選択図】  図１
2007253956.tif 000002
【特許請求の範囲】
【請求項１】
少なくとも油分に浮くフロートに、水に浮いて油分に対しては沈下する調整浮子を上下動自在に設けて、油分流出による調整浮子の沈下によりスイッチを作動自在とした油分感知装置。
【請求項２】
油の漏れ易い作業場や、石油ホームタンクの油分流出危険箇所等に設置した防油堤の末端位置の排出口に分離装置を設け、この分離装置は防油堤の排出口よりも低い位置に底部を有する分離槽と、この分離槽の底脇部に、常時閉のストップバルブを介して設けた底部排出口と、中間部には常時開の水位維持電動バルブを介して設けた中間排出口と、上方には異常満水時に排出する常時開放の開放口を設けた排出管を連設してあり、分離槽には請求項１記載の油分感知装置を設け、該油分感知装置のスイッチと水位維持電動バルブを電気的に接続し、油分感知装置の油分の感知により閉鎖自在とした油分流出防止装置。
【請求項３】
排水溝の中間に、流れに逆らった邪魔板を設けて淀みを形成し、該邪魔板の下部を水が流れるようにし、その邪魔板の前の淀みには請求項１記載の油分感知装置を設けて、該油分感知装置のスイッチと警報機を電気的に接続し、油分の感知により警報機を作動自在とした油分流出警報装置。
【発明の詳細な説明】
【技術分野】
【０００１】
本発明は、油分の流出を感知し、その流出を予防、防止する装置に関する。
【背景技術】
【０００２】
本発明は、燃料用石油などの油分を一定数量以上ホームタンクや貯蔵タンクに貯蔵する場合、これら貯蔵タンクは、該タンクの容量以上の容積を有する枡状の防油堤の中に設置しなければならないことになっているが、防油堤の上部は開放されているため雨などが降った場合は防油堤内に水が溜まってしまい、そのため貯蔵タンクにおける蛇口の誤操作や腐食などによる破損によってタンク内部の油分が流れ出たときには比重の軽い油分だけが防油堤から溢れ出て地盤、河川等に流れ出てしまう恐れがある。そのため雨の降るときには始終防油堤を監視し水の溜まっているときは水抜きバルブを開放して排水し、排水後は水抜きバルブを閉めるようにしているが、閉め忘れることもあって防油堤の機能を果たしていないのが現状である。
又油の溢れ出た場合はその処理・回復に多額の費用がかかり、これら油分の不用意な流出を予防、防止する装置が望まれている。
【０００３】
又潤滑油などの油を使用する工場などの作業場、家庭や工場廃水等においても油分の河川への流出は自然環境上から厳しく取り締まられているが、不用意な流出事故は免れず自然環境の悪化は免れないものとなっており、流出事故の発生の場合はその処理・回復に多額の費用が掛かり、不用意な油の流出を予防、防止する装置が望まれている。
【発明の開示】
【発明が解決しようとする課題】
【０００４】
そこで本発明は、水と油分の比重の差を利用した油分の感知によってスイッチをオンに作動させ、警報或は/及び電動バルブを閉じるようにして河川等への油分の流出を予防、防止しようとするものである。
【課題を解決するための手段】
【０００５】
本発明は、少なくとも油分に浮くフロートに、水に浮いて油分に対しては沈下する調整浮子を上下動自在に設けて、油分流出による調整浮子の沈下によりスイッチを作動自在とした油分感知装置であり、油の漏れ易い作業場や、石油ホームタンクの油分流出危険箇所等に設置した防油堤の末端位置の排出口に分離装置を設け、この分離装置は、防油堤の排出口よりも低い位置に底部を有する分離槽と、この分離槽の底脇部に常時閉のストップバルブを介して設けた底部排出口と、中間部には常時開の水位維持電動バルブを介して設けた中間排出口と、上方には異常満水時に排出する常時開放の開放口を設けた排出管を連設してあり、分離槽には前記油分感知装置を設け、該油分感知装置のスイッチと水位維持電動バルブを電気的に接続し、油分感知装置の油分の感知により、閉鎖自在とした油分流出防止装置とし、更に排水溝の中間に流れに逆らった邪魔板を設けて淀みを形成し、該邪魔板の下部を水が流れるようにし、その邪魔板の前の淀みには前記油分感知装置を設けて、該油分感知装置のスイッチと警報機を電気的に接続し、油分の感知により警報機を作動自在とした油分流出警報装置として、不用意な油分の流出を感知し、その流出を予防、防止しようとするものである。
【発明の効果】
【０００６】
本発明の効果として、水と油分の比重の差を利用したもので、油分の感知が確実且つ長期に行うことができ、又油分の感知によってスイッチを電気的に作動自在としたので、このスイッチのオン作動をバルブの閉塞や警報機の警報に伝え河川等への油分の流出を防止、予防できる。又雨などが降った場合は防油堤等から流れ出る水は常時排水されて溜まることがなく、貯蔵タンクなどの付属施設の保守に効果的てある。
【実施例１】
【０００７】
図１の油分感知装置１は、少なくとも油分に浮くフロート２に、水に浮いて油分に対しては沈下する調整浮子５を上下動自在に設けて、油分流出による調整浮子５の沈下によりスイッチ８をオンに作動自在とし、これによって警報、電動弁などの電気的装置を作動させて油分流出を感知自在とするが、具体的には、フロート２はリング状、馬蹄形状等とし、フロート２の空間部３に、調整錘４により水には浮き、油分に対しては沈下するように調整した調整浮子５を軸６を介して回動自在に枢着した梃子杆７に取り付け、梃子杆７の自由端側にはスイッチ８を設けて、このスイッチ８を調整浮子５が油分に対し沈下したときにスイッチ８が下側に傾斜してオンとなるよう設定してある。これによって油分流出を感知自在としたもので、このスイッチ８のオン作動により、警報、バルブなどの電気的装置を作動させるものである。即ち水や空気層に油分感知装置１が存在する場合は、スイッチ８の間隔がオフとなるように設定しておき、フロート２、調整浮子５が油分に接するとフロート２が浮き、他方の調整浮子５が沈下することによってスイッチ８が傾斜しオンに作動するようにしてある。スイッチ８は傾斜すると水銀球が動いて接点を閉じてオンになるようにしたものを用いると良い(以下傾斜スイッチ方式として説明する。)。
【０００８】
フロート２と調整浮子５の形状は任意であり、図４のように筒９の下端にリング状のフロート２を設けて少なくとも油分に浮くようにしてあり、調整浮子５は、筒９内を貫通する支持杆１０を設けて水に浮いて油分に対しては沈下するように調整錘４で調整して上下動自在に設け、この支持杆１０の上端に設けた作動部１０’によってマイクロスイッチなどのスイッチ８をオンにするものである。１１はフロート２、筒９、支持杆１０、スイッチ８等を覆うカバーである(以下押圧スイッチ方式として説明する。)。
【０００９】
上記０００７項の傾斜スイッチ方式の油分感知装置１を、油分流出防止装置に使用する場合は、図３に示すように、油の漏れ易い作業場や、石油ホームタンクの油分流出危険箇所等に設置した防油堤１２(枡形状、漏斗形状等の形状は任意である。)の末端位置の排出口１３に、分離装置２２を設けるが、この分離装置２２は、防油堤１２の排出口１３よりも低い位置に底部１４を有し常時開の第一ストップバルブ１６を介して設けた分離槽１５と、この分離槽１５の底脇部に、常時閉の第二ストップバルブ１７を介して設けた底部排出口１８と、中間部には常時開の水位維持電動バルブ１９を介して設けた中間排出口２０と、上方には異常満水時に排出する常時開放の開放口２１を設けた排出管２２を連設してあり、分離槽１５のストッパー台２４に前記油分感知装置１の調整浮子５を載せ、該油分感知装置１のスイッチ８と水位維持電動バルブ１９を電気的に接続し、この油分感知装置１の油分の感知により、スイッチ８が傾斜してオンとなり水位維持電動バルブ１９を閉鎖自在とする。分離槽１５はカバー１１で覆う。図示しない警報装置を併設して水位維持電動バルブ１９の閉鎖作動と同時に作動させるようにしても良い。図中３０はヒータで分離装置２２内の水が凍らないようにしてある。
【００１０】
上記０００８項の押圧スイッチ方式の油分感知装置１を油分流出防止装置に利
用する場合は、図４に示すように、前同様に防油堤１２の末端位置の排出口１３に、分離装置２２を設けるが、この分離装置２２は防油堤１２の排出口１３よりも低い位置に底部１４を有し常時開の第一ストップバルブ１６を介して設けた分離槽１５と、この分離槽１５の底脇部に常時閉の第二ストップバルブ１７を介して設けた底部排出口１８と、中間部には常時開の水位維持電動バルブ１９を介して設けた中間排出口２０と、上方には異常満水時に排出する常時開放の開放口２１を設けた排出管２２を連設してあり、分離槽１５のストッパー台２４に前記０００７項の油分感知装置１の調整浮子５を載せ、該油分感知装置１のスイッチ８と水位維持電動バルブ１９を電気的に接続し、この油分感知装置１の油分の感知により、水位維持電動バルブ１９を閉塞自在とするが、分離槽１５に筒状のカバー１１を設けてカバー１１内に筒９を上下自在なるよう嵌遊させてある。この場合も図示しない警報装置を併設して水位維持電動バルブ１９の閉鎖作動と同時に作動させるようにしても良い。３０はヒータで分離装置２２内の水が凍らないようにしてある。
【００１１】
以上の油分流出防止装置を、分離槽１５と排出管２２における水と油分の流れを図６、図７に従って説明していく(符号２５はごみ除けで、このごみ除け２５内にフロート２と調整浮子５が設置されている。)。
水無しの場合（図６の(イ)）はフロート２、調整浮子５はストッパー台２４に載っているが、防油堤１２に雨水などの水Aが入り込むと、水Aは図６の(ロ)のように、排出口１３、分離槽１５に流れ込み水位が中間排出口２０の高さまで来ると該排出口２０から排出される。このときフロート２と調整浮子５は水Aの上に浮いていてスイッチ８はオフの状態のままとなっている。
【００１２】
上記水の溜まっている分離槽１５内に石油などの油分Bが流出して来ると比重の違いによって比重の軽い油分Bは層状に水Aに浮き、水Aが下層となり、より油分Bが溜まって来ると下層にある水Aが中間排出口２０から排出される(図６のハ)。一定量の油分Bの層が厚くなると図７のように油分Bにフロート２が浮くと同時に調整浮子５が沈下し、傾斜スイッチ方式ではスイッチ８が傾斜してオンとなり、押圧スイッチ方式では作動部１０’の押圧によってスイッチ８がオンし、水位維持電動バルブ１９が作動して中間排出口２０を閉鎖し油分の外部への流出が停止する(図６のニ)。このときスイッチ８のオン作動を図示しない異常ランプや警報機に連動しておいて視聴覚によっても確認できるようにしておくと良い。
【００１３】
同じく図６において、油分Bの流出が中間排出口２０を閉じた後も続き、後流出が止ったときは、中間排出口２０の閉じられている状態で油分に押された水のみが排出管２２の開放口２１方向に上昇する（図６のホ）。
油分Bの流出が止り、(ホ)の状態になっているときに雨が降って来た場合は雨水Aは比重によって油分Bの下層を流れ、前から溜まっている水Aと合流し開放口２１から排出される(図６のヘ)。
分離槽１５から油分Bを回収するには、先ず底部排出口１８の第二ストップバルブ１７を開いて分離槽１５に溜まっている水Aを取り出し、水Aの取り出し後は第二ストップバルブ１７を閉じ中間排出口２０の水位維持電動バルブ１９を開いて油分Bを取り出す(図６のチ)。第二ストップバルブ１７を開いて油分Bを取り出すようにしても良い。
【実施例２】
【００１４】
更に分離槽１５に替えて、U字溝などの排水溝２６の中間に、水の流れに逆らった邪魔板２７を設けて淀み２８を形成して、該邪魔板２７の下部を水が流れるようにし、その邪魔板２７の前の淀み２８に油分感知装置１のフロート２と調整浮子５を浮かべておき、油分の感知により警報機２９を作動自在とした油分流出警報装置として、不用意な油分の流出を予防しようとするものである。２５はごみ除けである。
【００１５】
その作用は、淀み２８に一定量の油分Bが流れてきて層状に溜まると、フロート２は油分Bの上に浮き、調整浮子５は油分Bに沈下するのでスイッチ８がオンとなり警報機２７を作動させ油漏れを知らせることになる。
【図面の簡単な説明】
【００１６】
【図１】本発明に係る油分感知装置の断面説明図。
【図２】同フロートの斜視説明図。
【図３】油分感知装置を使用した油分流出防止装置の縦断説明図。
【図４】同他実施例に係る油分流出防止装置の縦断説明図。
【図５】油分感知装置を使用した油分流出警報装置の縦断説明図。
【図６】分離装置における水と油との分離状況を示した説明図。
【図７】フロートと調整浮子の関係を示した説明図。
【符号の説明】
【００１７】
１：油分感知装置
２：フロート
３：空間部
４：調整錘
５：調整浮子
６：軸
７：梃子杆
８：スイッチ
９：筒
１０：支持杆
１０’：作動部
１１：カバー
１２：防油堤
１３：排出口
１４：底部
１５：分離槽
１６：ストップバルブ
１７：ストップバルブ
１８：底部排出口
１９：水位維持電動バルブ
２０：中間排出口
２１：開放口
２２：排出管
２３：分離装置
２４：ストッパー台
２５：ごみ除け
２６：排水溝
２７：邪魔板
２８：淀み
２９：警報機
３０：ヒータ
Ａ：水
Ｂ：油分
【図１】
2007253956.tif 000003
【図２】
2007253956.tif 000004
【図３】
2007253956.tif 000005
【図４】
2007253956.tif 000006
【図５】
2007253956.tif 000007
【図６】
2007253956.tif 000008
【図７】
2007253956.tif 000009